(57)【特許請求の範囲】
【請求項１】
末尾を示す区切り情報を告知放送開始から一定時間経過しても受信しなかった場合に告知放送を停止する受信機に対して、告知放送信号を送信する送信装置であって、
前記告知放送用の情報を記録する記録手段と、
前記記録手段に記録されている告知放送用の情報に基づいて、当該情報の先頭を示す区切り情報を付加した告知放送信号を生成する信号生成手段と、
告知放送を繰り返す旨の指示を受け付けた場合に、前記信号生成手段により生成された告知放送信号を、同一の前記受信機に対して繰り返し送信し続ける送信手段と、
を備える送信装置。
【請求項２】
音声の入力を受け付ける音声入力手段を備え、
前記記録手段は、前記音声入力手段が入力を受け付けた音声を記録し、
前記音声入力手段が音声の入力を受け付けている間、前記信号生成手段は、当該入力された音声に基づいて告知放送信号を生成し、前記送信手段は、当該信号生成手段により生成された告知放送信号を送信し、
前記音声入力手段が音声の入力の受付を終了した後、告知放送を繰り返す旨の指示を受け付けた場合に、前記信号生成手段は、前記記録手段に記録された音声に基づいて告知放送信号を生成し、前記送信手段は、当該信号生成手段により生成された告知放送信号を繰り返し送信し続ける、
請求項１に記載の送信装置。
【請求項３】
前記記録手段は、複数種類の前記告知放送用の情報を記録し、
前記信号生成手段は、前記記録手段に記録されている前記複数種類の告知放送用の情報の一部又は全部に基づいて複数種類の告知放送信号を生成し、
前記送信手段は、前記信号生成手段により生成された複数種類の告知放送信号を、所定の順序で繰り返し送信し続ける、
請求項１又は２に記載の送信装置。
【請求項４】
請求項１から３のいずれか一項に記載の送信装置と、
前記送信装置から送信された告知放送信号を受信する受信機と、
を備える告知放送システム。
【請求項５】
前記受信機は、
前記告知放送信号を受信する受信手段と、
前記受信手段が受信した告知放送信号による告知放送を音声出力する出力手段と、
前記繰り返し送信された告知放送信号による告知放送を前記出力手段が繰り返し音声出力する間に、当該出力手段による音声出力の音量を、音声出力の繰り返し回数に応じて変化させる音量制御手段と、を備える、
請求項４に記載の告知放送システム。
【請求項６】
前記音量制御手段は、前記告知放送信号が繰り返し送信された回数に応じて、前記出力手段による音声出力の音量を変化させる、
請求項５に記載の告知放送システム。
【請求項７】
前記信号生成手段は、前記送信手段から前記告知放送信号を繰り返し送信させる際、前記記録手段に記録されている告知放送用の情報に、当該告知放送信号の送信回数を特定する送信回数情報を付加して告知放送信号を生成し、
前記音量制御手段は、前記受信手段が受信した告知放送信号に含まれる前記送信回数情報に基づき、当該受信手段が受信した告知放送信号の送信回数を特定し、当該特定した送信回数に応じて、前記出力手段による音声出力の音量を変化させる、
請求項６に記載の告知放送システム。
【請求項８】
前記信号生成手段は、前記送信手段から前記告知放送信号を繰り返し送信させる際、前記記録手段に記録されている告知放送用の情報に、音量を特定する音量情報を付加して告知放送信号を生成し、
前記音量制御手段は、前記受信手段が受信した告知放送信号に含まれる前記音量情報に基づき、前記出力手段による音声出力の音量を変化させる、
請求項７に記載の告知放送システム。
【発明の詳細な説明】
【技術分野】
【０００１】
本発明は、送信装置及び告知放送システムに関する。
【背景技術】
【０００２】
センターから複数の住戸に対して各種の告知放送を行うための告知放送システムが普及している。この告知放送システムは、概略的に、センター側に配置されたセンター装置と、各住戸内に設置された受信機とを、ＣＡＴＶ等の伝送線路を介して相互に接続して構成されている。そして、地域のイベント開催又はＦＭラジオ放送等の一般放送や、火災や地震が発生した時の緊急放送を行う際、センター装置は告知放送信号を伝送線路を介して送信し、この告知放送信号を受信機が受信して、告知放送をスピーカにて音声出力する（例えば、特許文献１（段落００１２）参照）。
【先行技術文献】
【特許文献】
【０００３】
【特許文献１】特開平９−８７５３号公報
【発明の概要】
【発明が解決しようとする課題】
【０００４】
ところで、上述の如き従来の告知放送システムを用いて緊急放送を行う場合、操作者がセンター装置の緊急放送操作を選択し、緊急放送の内容を音声入力することで、当該入力された音声を内容とする告知放送信号が受信機に送信される。この緊急放送は、繰り返されることなく、１回限りで終了する。従って、受信機が設置された住戸において利用者が受信機の近傍にいなかった場合、利用者が緊急放送を聞き逃す可能性があった。
【０００５】
また、各住戸に設置された受信機には、受信した緊急放送をスピーカから音声出力すると共に、緊急放送の内容を録音し、当該録音した内容を利用者の操作に応じて再生する機能を有するものもある。しかしながら、緊急放送が行われるような緊急時においては、利用者が受信機を適切に操作することが困難な場合も想定されるため、やはり利用者が緊急放送を聞くことができない可能性があった。
【０００６】
また、センター装置から、既に放送した緊急放送の内容を所定の再放送チャンネルで再放送することが行われることもある。しかし、再放送の内容を受信機で受信するためには、受信機における受信チャンネルを再放送チャンネルに合わせる操作が必要となり、緊急時においては利用者が受信機を適切に操作することが困難な場合も想定されるため、やはり利用者が緊急放送を聞くことができない可能性があった。
【０００７】
また、センター装置の操作者が、緊急放送を繰り返し実施することも考えられるが、センター装置の設置場所から操作者が早急に避難すべき状況においては、操作者自身が緊急放送を繰り返すことは困難且つ危険な可能性があった。
【０００８】
本発明は、上記に鑑みてなされたものであって、センター装置の操作者の安全を確保しつつ、受信機の利用者が緊急放送を聞き逃すことを防止できる、送信装置及び告知放送システムを提供することを目的とする。
【課題を解決するための手段】
【０００９】
上述した課題を解決し、目的を達成するために、請求項１に記載の送信装置は、末尾を示す区切り情報を告知放送開始から一定時間経過しても受信しなかった場合に告知放送を停止する受信機に対して、告知放送信号を送信する送信装置であって、前記告知放送用の情報を記録する記録手段と、前記記録手段に記録されている告知放送用の情報に基づいて、当該情報の先頭を示す区切り情報を付加した告知放送信号を生成する信号生成手段と、告知放送を繰り返す旨の指示を受け付けた場合に、前記信号生成手段により生成された告知放送信号を、同一の前記受信機に対して繰り返し送信し続ける送信手段と、を備える。
【００１０】
また、請求項２に記載の送信装置は、請求項１に記載の送信装置において、音声の入力を受け付ける音声入力手段を備え、前記記録手段は、前記音声入力手段が入力を受け付けた音声を記録し、前記音声入力手段が音声の入力を受け付けている間、前記信号生成手段は、当該入力された音声に基づいて告知放送信号を生成し、前記送信手段は、当該信号生成手段により生成された告知放送信号を送信し、前記音声入力手段が音声の入力の受付を終了した後、告知放送を繰り返す旨の指示を受け付けた場合に、前記信号生成手段は、前記記録手段に記録された音声に基づいて告知放送信号を生成し、前記送信手段は、当該信号生成手段により生成された告知放送信号を繰り返し送信し続ける。
【００１１】
また、請求項３に記載の送信装置は、請求項１又は２に記載の送信装置において、前記記録手段は、複数種類の前記告知放送用の情報を記録し、前記信号生成手段は、前記記録手段に記録されている前記複数種類の告知放送用の情報の一部又は全部に基づいて複数種類の告知放送信号を生成し、前記送信手段は、前記信号生成手段により生成された複数種類の告知放送信号を、所定の順序で繰り返し送信し続ける。
【００１２】
また、請求項４に記載の告知放送システムは、請求項１から３のいずれか一項に記載の送信装置と、前記送信装置から送信された告知放送信号を受信する受信機と、を備える。
【００１３】
また、請求項５に記載の告知放送システムは、請求項４に記載の告知放送システムにおいて、前記受信機は、前記告知放送信号を受信する受信手段と、前記受信手段が受信した告知放送信号による告知放送を音声出力する出力手段と、前記繰り返し送信された告知放送信号による告知放送を前記出力手段が繰り返し音声出力する間に、当該出力手段による音声出力の音量を、音声出力の繰り返し回数に応じて変化させる音量制御手段と、を備える。
【００１４】
また、請求項６に記載の告知放送システムは、請求項５に記載の告知放送システムにおいて、前記音量制御手段は、前記告知放送信号が繰り返し送信された回数に応じて、前記出力手段による音声出力の音量を変化させる。
【００１５】
また、請求項７に記載の告知放送システムは、請求項６に記載の告知放送システムにおいて、前記信号生成手段は、前記送信手段から前記告知放送信号を繰り返し送信させる際、前記記録手段に記録されている告知放送用の情報に、当該告知放送信号の送信回数を特定する送信回数情報を付加して告知放送信号を生成し、前記音量制御手段は、前記受信手段が受信した告知放送信号に含まれる前記送信回数情報に基づき、当該受信手段が受信した告知放送信号の送信回数を特定し、当該特定した送信回数に応じて、前記出力手段による音声出力の音量を変化させる。
【００１６】
また、請求項８に記載の告知放送システムは、請求項７に記載の告知放送システムにおいて、前記信号生成手段は、前記送信手段から前記告知放送信号を繰り返し送信させる際、前記記録手段に記録されている告知放送用の情報に、音量を特定する音量情報を付加して告知放送信号を生成し、前記音量制御手段は、前記受信手段が受信した告知放送信号に含まれる前記音量情報に基づき、前記出力手段による音声出力の音量を変化させる。
【発明の効果】
【００１８】
このように、請求項１に記載の送信装置、及び請求項４に記載の告知放送システムによれば、告知放送用の情報を記録する記録手段と、記録手段に記録されている告知放送用の情報に基づいて告知放送信号を生成する信号生成手段と、信号生成手段により生成された告知放送信号を、繰り返し送信し続ける送信手段とを備えるので、センター装置の操作者自身が緊急放送を繰り返し実施しなくとも緊急放送を連続して繰り返すことができ、受信機から緊急放送を繰り返し音声出力させることができる。これにより、センター装置の操作者の安全を確保しつつ、受信機の利用者が緊急放送を聞き逃すことを防止できる。
また、信号生成手段は、記録手段に記録されている告知放送用の情報に、当該情報の先頭を示す区切り情報を付加して、告知放送信号を生成するので、１つの放送が開始されてから一定時間経過した場合に当該放送の受信を停止する仕様の受信機についても、各告知放送信号を確実に受信機に受信させ、当該受信機から確実に緊急放送を繰り返し音声出力させることができる。
【００１９】
また、請求項２に記載の送信装置によれば、記録手段は、音声入力手段が入力を受け付けた音声を記録し、音声入力手段が音声の入力を受け付けている間、信号生成手段は、当該入力された音声に基づいて告知放送信号を生成し、送信手段は、信号生成手段により生成された告知放送信号を送信し、音声入力手段が音声の入力の受付を終了した後、信号生成手段は、記録手段に記録された音声に基づいて告知放送信号を生成し、送信手段は、信号生成手段により生成された告知放送信号を繰り返し送信し続けるので、センター装置の操作者は緊急放送の内容を音声入力手段に１回入力すればよく、操作者自身が緊急放送を繰り返し実施しなくとも緊急放送を連続して繰り返すことができ、受信機から緊急放送を繰り返し音声出力させることができる。
【００２０】
また、請求項３に記載の送信装置によれば、記録手段は、複数種類の告知放送用の情報を記録し、信号生成手段は、記録手段に記録されている複数種類の告知放送用の情報の一部又は全部に基づいて複数種類の告知放送信号を生成し、送信手段は、信号生成手段により生成された複数種類の告知放送信号を、所定の順序で繰り返し送信し続けるので、センター装置の操作者自身が緊急放送の内容を入力しなくとも緊急放送を連続して繰り返すことができ、センター装置の操作者の安全を確保することができる。
【００２１】
また、請求項５に記載の告知放送システムによれば、音量制御手段は、連続して繰り返し送信された告知放送信号による告知放送を出力手段が繰り返し音声出力する間に、当該出力手段による音声出力の音量を、音声出力の繰り返し回数に応じて変化させるので、繰り返し音声出力される告知放送の音量を、適切な音量に調整することができる。
【００２２】
また、請求項６に記載の告知放送システムによれば、音量制御手段は、告知放送信号が繰り返し送信された回数に応じて、出力手段による音声出力の音量を変化させるので、告知放送の音量を、繰り返し回数に応じた適切な音量に調整することができる。
【００２３】
また、請求項７に記載の告知放送システムによれば、音量制御手段は、受信手段が受信した告知放送信号に含まれる送信回数情報に基づき、当該受信手段が受信した告知放送信号の送信回数を特定し、当該特定した送信回数に応じて、出力手段による音声出力の音量を変化させるので、告知放送の音量を、繰り返し回数に応じた適切な音量に確実に調整することができる。
【００２４】
また、請求項８に記載の告知放送システムによれば、音量制御手段は、受信手段が受信した告知放送信号に含まれる音量情報に基づき、出力手段による音声出力の音量を変化させるので、繰り返し音声出力される告知放送の音量を、適切な音量に調整することができる。
【図面の簡単な説明】
【００２６】
【図１】実施の形態に係る送信装置及び告知放送システムの構成図である。
【図２】信号生成部により生成された告知放送信号に含まれる情報（電文データ）の構成を例示した図である。
【図３】受信機の正面図である。
【図４】送信装置及び告知放送システムが実行する告知放送処理のフローチャートである。
【図５】表示部に表示された種別選択画面を例示した図である。
【図６】緊急放送処理のフローチャートである。
【図７】図６に続く緊急放送処理のフローチャートである。
【図８】表示部に表示された情報選択画面を例示した図である。
【図９】表示部に表示された放送中画面を例示した図である。
【図１０】一般放送処理のフローチャートである。
【図１１】受信機が実行する受信処理のフローチャートである。
【発明を実施するための形態】
【００２７】
以下に添付図面を参照して、この発明に係る送信装置及び告知放送システムの実施の形態を詳細に説明する。最初に、この送信装置を備えて構成された告知放送システムの全体構成を説明し、次に、送信装置の構成、及び告知放送システムが実行する処理について説明し、最後に本実施の形態に対する変形例について説明する。ただし、この実施の形態によって本発明が限定されるものではない。なお、本実施の形態に係る送信装置の設置対象や適用対象は任意であるが、以下では、役場内に設置された送信装置に適用した場合を例として説明を行う。
【００２８】
（構成−告知放送システム）
最初に、この実施の形態に係る告知放送システムの構成を説明する。図１は、実施の形態に係る送信装置及び告知放送システムの構成図である。この図１に示すように、告知放送システム１は、役場内に設置されたセンターシステム１０、各住戸内に設置された受信機２０（告知放送受信機）、及びセンターシステム１０から送信された信号を受信機２０に送信する伝送系統４０を備えている。
【００２９】
このうち、センターシステム１０は告知放送に関する情報を管理する。また、伝送系統４０は、ヘッドエンド４１、及びヘッドエンド４１から各住戸の受信機２０に至る伝送線路４２を備えている。ヘッドエンド４１は、センターシステム１０から送信された信号を受信し、この信号を各住戸側へ伝送するための信号に変換した上で伝送線路４２に送出する送信手段である。伝送線路４２は、告知放送信号を送信する送信線路であり、例えば、ＣＡＴＶ信号を伝送するＣＡＴＶ伝送線路（同軸ケーブル）を用いて構成される。この伝送線路４２には、アンプ４３、分配増幅器４４、分配器４６、及び保安器４８が配置されている。
【００３０】
アンプ４３は、伝送線路４２を流れる信号を増幅する増幅手段である。分配増幅器４４は、信号を増幅した上で、各住戸に向けて分配する分配増幅手段である。分配器４６は、分配増幅器４４にて増幅された信号を各住戸に向けて分配する分配手段である。保安器４８は、各住戸に設けられ、伝送線路４２に乗って受信機２０に至る直流成分を制御する。なお、特記する構成を除き、センターシステム１０、伝送系統４０、及び受信機２０は、公知の装置又は公知のシステムと同様に構成することができる。
【００３１】
（構成−センターシステム）
次に、センターシステム１０の構成について説明する。図１に示すように、センターシステム１０は、表示部１１、ＢＧＭ源１２、及び送信装置７０を備えている。
【００３２】
（構成−センターシステム−表示部、ＢＧＭ源）
表示部１１は、所要の情報を操作者に向けて表示する表示手段であり、例えば、モニタ及び表示灯（いずれも図示省略）を有する。ＢＧＭ源１２は、告知放送用の背景音楽の音源になる音源手段である。
【００３３】
（構成−センターシステム−送信装置）
送信装置７０は、受信機２０に告知放送信号を送信するものである。図１に示すように、この送信装置７０は、操作部７１、マイク７２、送信部７３、制御部７５、及びデータ記録部７６を備えている。
【００３４】
操作部７１は、送信装置７０に対する各種の操作入力を受け付ける操作手段であり、繰り返し放送用スイッチ、及び放送用スイッチを備えている（いずれも図１では図示省略）。繰り返し放送用スイッチは、告知放送信号を連続して繰り返し送信する旨の指示操作を受け付けるスイッチである。放送用スイッチは、告知放送の種別を選択する操作や、マイク７２を介して入力された音声を内容とする告知放送信号を送信する旨の指示操作等を受け付けるスイッチである。この操作部７１としては、例えば、各種のスイッチやタッチパネル等の公知の操作手段を用いて構成することができる。
【００３５】
マイク７２は、告知放送用の音声の入力を受け付ける音声入力手段である。送信部７３は、制御部７５により生成された告知放送信号を、連続して繰り返し送信する送信手段である。
【００３６】
制御部７５は、送信装置７０の各部を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するための内部メモリを備えて構成されるコンピュータである（後述する受信機２０の制御部２９についても同じ）。この制御部７５は、機能概念的に、信号生成部７５ａを備えている。信号生成部７５ａは、データ記録部７６に記録されている告知放送用の情報に基づいて告知放送信号を生成する信号生成手段である。なお、この制御部７５によって実行される処理の詳細については後述する。
【００３７】
図２は、信号生成部７５ａにより生成された告知放送信号に含まれる情報（電文データ）の構成を例示した図である。この図２に示すように、告知放送信号は、例えば、アドレス／グループ、種別コード、スタートコード、告知データ、及びストップコードを含んで構成される。このうち、アドレス／グループは、告知放送信号の宛て先を特定するための情報であり、例えば宛て先となる受信機２０を一意に識別する個別アドレスや、宛て先となる複数の受信機２０が属するグループを一意に識別するグループアドレス等が含まれる。種別コードは、告知放送の種別（例えば一般放送や緊急放送等）を特定するための情報である。スタートコードは、告知放送用の情報の先頭を示す区切り情報である。告知データは、データ記録部７６に記録されている告知放送用の情報、又はマイク７２を介して入力された音声に基づいて生成されたデータであり、具体的には音声データである。ストップコードは、告知放送用の情報の末尾を示す区切り情報である。なお、スタートコード又はストップコードの一方を省略してもよい。
【００３８】
図１に戻り、データ記録部７６は、告知放送用の情報を記録する記録手段であり、例えば、外部記憶装置としてのハードディスク（図示省略）を用いて構成されている。ただし、ハードディスクに代えてあるいはハードディスクと共に、磁気ディスクの如き磁気的記録媒体、又はＤＶＤやブルーレイディスクの如き光学的記録媒体を含む、その他の任意の記録媒体を用いることができる（後述する受信機２０のデータ記録部３０についても同じ）。なお、前述の制御部７５に設けられたＲＡＭやＲＯＭをデータ記録部７６の一部または全部として適宜利用することができる。このデータ記録部７６は、複数種類の告知放送用の情報（すなわち告知データ。例えば、マイク７２を介して入力された音声情報や、予め記録された避難指示情報等）や、告知放送信号の生成に用いる各種情報（例えばアドレス／グループ、種別コード、スタートコード、ストップコード等）を記録している。
【００３９】
（構成−受信機）
次に、受信機２０の電気的構成について説明する。図１に示したように、受信機２０は、受信部２１、音声切換え部２２、音声記録部２３、音量調整部２４、アンプ２５、スピーカ２６、操作部２７、表示部２８、制御部２９、及びデータ記録部３０を備えている。
【００４０】
受信部２１は、送信装置７０から送信された告知放送信号を復調する告知放送復調手段であり、音声情報を音声切換え部２２に出力する。音声切換え部２２は、受信部２１から出力された音声情報を音声記録部２３又は音量調整部２４に出力し、あるいは、音声記録部２３から出力された音声情報を音量調整部２４に出力する音声切換え手段である。音声記録部２３は、音声情報を所定回数だけ録音する音声情報格納手段である。音量調整部２４は、音声切換え部２２から出力された音声情報の音量を調整してアンプ２５に出力する。この音声情報は、アンプ２５にて増幅された後、スピーカ２６から出力される。スピーカ２６は、音声記録部２３にて録音された音声情報を再生するための音声出力手段である。操作部２７は、当該受信機２０に対する各種の操作入力を受け付ける操作手段である。表示部２８は、受信機２０に関する各種情報を表示するための表示手段である。制御部２９は、受信機２０の各部を制御する制御手段である。データ記録部３０は、受信機２０の各種制御に必要な情報を記録する記録手段であり、例えば受信機２０毎に設定される個別アドレスや、当該受信機２０が属するグループを示すグループアドレス等が記録されている。
【００４１】
図３は、受信機２０の正面図である。受信機２０は、方形箱状の筐体の内部に、上述した当該受信機２０の各部のうち、操作部２７、及び表示部２８を除く各部を収容している。操作部２７としては、具体的には、ＦＭ放送を選択するためのＦＭ放送選択スイッチ２７ａ、録音された告知放送の再生を指示するための告知再生スイッチ２７ｂ、及び放送音量を調節するためのボリュームスイッチ２７ｃが設けられている。表示部２８としては、具体的には、電源ＯＮ時に点灯する電源表示灯２８ａ、緊急放送時に点灯又は点滅する緊急放送表示灯２８ｂ、一般放送時に点灯又は点滅する一般放送表示灯２８ｃ、及び受信部２１によって受信された各種信号の受信状態を表示する状態表示部２８ｄ（例えば１桁の７セグメント表示及びドット表示を行う公知の７セグメントＬＥＤ（Ｌｉｇｈｔ  Ｅｍｉｔｔｉｎｇ  Ｄｉｏｄｅ））を備える。
【００４２】
（処理）
次に、このように構成された告知放送システム１が実行する処理について説明する。告知放送システム１が実行する処理は、送信装置７０が実行する告知放送処理と、受信機２０が実行する受信処理とに大別される。以下、これらの告知放送処理と受信処理とについて説明する。
【００４３】
（処理−告知放送処理）
まず、告知放送処理について説明する。図４は、送信装置７０及び告知放送システム１が実行する告知放送処理のフローチャートである（以下の各処理の説明ではステップを「Ｓ」と略記する）。この告知放送処理は、例えば送信装置７０の電源が投入された場合に起動される。
【００４４】
図４に示すように、告知放送処理が起動されると、制御部７５は、告知放送の種別の選択を受け付けるための種別選択画面を表示部１１に表示させる（ＳＡ１）。図５は、表示部１１に表示された種別選択画面を例示した図である。この図５に示すように、制御部７５は、例えば告知放送の各種別（図５では「緊急放送」及び「一般放送」）を示すボタンを表示部１１に表示させる。
【００４５】
図４に戻り、ＳＡ１の処理の後、制御部７５は操作部７１を介して告知放送の種別が選択されるまで待機する（ＳＡ２、Ｎｏ）。そして、操作部７１を介して告知放送の種別が選択された場合（ＳＡ２、Ｙｅｓ）、制御部７５は、選択された告知放送の種別が緊急放送又は一般放送のいずれであるかを判定する（ＳＡ３）。
【００４６】
その結果、選択された告知放送の種別が緊急放送である場合（ＳＡ３、緊急）、制御部７５は緊急放送処理を実行する（ＳＡ４）。一方、選択された告知放送の種別が一般放送である場合（ＳＡ３、一般）、制御部７５は一般放送処理を実行する（ＳＡ５）。ＳＡ４又はＳＡ５の処理を行った後、制御部７５は告知放送処理を終了する。
【００４７】
（処理−告知放送処理−緊急放送処理）
ここで、緊急放送処理について説明する。図６及び図７は緊急放送処理のフローチャートである。図６に示すように、緊急放送処理が開始されると、制御部７５は、データ記録部７６に記録されている告知放送用の情報（例えば、マイク７２を介して入力された音声情報や、予め記録された避難指示情報等）の選択を受け付けるための情報選択画面を表示部１１に表示させる（ＳＢ１）。図８は、表示部１１に表示された情報選択画面を例示した図である。この図８に示すように、制御部７５は、例えばデータ記録部７６に記録されている告知放送用の各情報を示すリスト（図８では「避難指示」や「屋内退避指示」）を表示部１１に表示させる。
【００４８】
図６に戻り、ＳＢ１の処理の後、制御部７５は、データ記録部７６に記録されている告知放送用の情報が操作部７１を介して選択されたか否かを判定する（ＳＢ２）。その結果、データ記録部７６に記録されている告知放送用の情報が操作部７１を介して選択された場合（ＳＢ２、Ｙｅｓ）、制御部７５は当該選択された情報をデータ記録部７６から読み出す（ＳＢ３）。
【００４９】
ＳＢ２においてデータ記録部７６に記録されている告知放送用の情報が操作部７１を介して選択されなかった場合（ＳＢ２、Ｎｏ）、又はＳＢ３の処理の後、制御部７５は、操作部７１を介して告知放送を繰り返す旨の指示が入力されたか否かを判定する（ＳＢ４）。例えば図８に示したように、ＳＢ１において表示部１１に繰り返し放送用スイッチとして「繰り返し」ボタンを表示させておき、操作部７１を介してこの「繰り返し」ボタンが選択された場合に、告知放送を繰り返す旨の指示が入力されたと判定する。
【００５０】
図６に戻り、ＳＢ４の判定の結果、操作部７１を介して告知放送を繰り返す旨の指示が入力された場合（ＳＢ４、Ｙｅｓ）、信号生成部７５ａは放送開始データを生成し、当該生成した放送開始データを送信部７３から送信させる（ＳＢ５）。ここで放送開始データとは、告知放送用の情報に先立って送信されるデータであり、図２の例では、アドレス／グループ、種別コード、及びスタートコードが含まれる。例えば信号生成部７５ａは、データ記録部７６に記録されている情報に基づき、緊急放送の宛て先が全ての受信機２０であることを示すアドレス、告知放送の種別が緊急放送であることを示す種別コード、及びスタートコードを含む放送開始データを生成し、送信部７３から送信させる。
【００５１】
図６に戻り、ＳＢ５の処理の後、信号生成部７５ａは、ＳＢ３でデータ記録部７６から読み出された情報に基づいて告知データを生成し、当該生成した告知データを送信部７３から送信させる（ＳＢ６）。例えば信号生成部７５ａは、ＳＢ３でデータ記録部７６から読み出された「避難指示」あるいは「屋内退避指示」等の音声情報に基づいて告知データを生成し、送信部７３から送信させる。
【００５２】
続いて信号生成部７５ａは、ストップコードを生成し、当該生成したストップコードを送信部７３から送信させる（ＳＢ７）。例えば信号生成部７５ａは、データ記録部７６に記録されている情報に基づいてストップコードを生成し、送信部７３から送信させる。
【００５３】
次に制御部７５は、操作部７１を介して告知放送を終了させる旨の指示が入力されたか否かを判定する（ＳＢ８）。例えば、ＳＢ５で信号生成部７５ａが放送開始データを送信部７３から送信させる際に、制御部７５が表示部１１に「放送終了」ボタンを表示させておき、操作部７１を介してこの「放送終了」ボタンが選択された場合に、告知放送を終了させる旨の指示が入力されたと判定する。
【００５４】
その結果、操作部７１を介して告知放送を終了させる旨の指示が入力されていない場合（ＳＢ８、Ｎｏ）、ＳＢ５に戻り、信号生成部７５ａは放送開始データを生成し、当該生成した放送開始データを送信部７３から送信させる。以降、操作部７１を介して告知放送を終了させる旨の指示が入力されるまで、ＳＢ５からＳＢ８の処理を繰り返す。
【００５５】
なお、ＳＢ２において、データ記録部７６に記録されている複数種類の告知放送用の情報が選択され、ＳＢ３でデータ記録部７６から読み出されている場合、信号生成部７５ａは、操作部７１を介して告知放送を終了させる旨の指示が入力されるまで繰り返し実行されるＳＢ６の処理において、ＳＢ２で選択されＳＢ３でデータ記録部７６から読み出された複数種類の告知放送用の情報の中から一種類の情報を選択し、当該選択した情報に基づいて告知データを生成し、送信部７３から送信させる。ここで、ＳＢ６の処理が繰り返される毎に、データ記録部７６から読み出された複数種類の告知放送用の情報の中から選択する情報を順次変更することにより、データ記録部７６に記録されている複数種類の告知放送用の情報の一部又は全部に基づいて複数種類の告知放送信号が生成され、当該生成された複数種類の告知放送信号が、所定の順序で連続して繰り返し送信されることとなる。
【００５６】
一方、ＳＢ８において、操作部７１を介して告知放送を終了させる旨の指示が入力された場合（ＳＢ８、Ｙｅｓ）、制御部７５は緊急放送処理を終了し、メインルーチンに戻る。
【００５７】
また、ＳＢ４において、操作部７１を介して告知放送を繰り返す旨の指示が入力されていない場合（ＳＢ４、Ｎｏ）、信号生成部７５ａは操作部７１を介して告知放送を開始する旨の指示が入力されたか否かを判定する（ＳＢ９）。例えば図８に示したように、ＳＢ１において表示部１１に放送用スイッチとして「放送開始」ボタンを表示させておき、操作部７１を介してこの「放送開始」ボタンが選択された場合に、告知放送を開始する旨の指示が入力されたと判定する。
【００５８】
図６に戻り、ＳＢ９の判定の結果、操作部７１を介して告知放送を開始する旨の指示が入力されていない場合（ＳＢ９、Ｎｏ）、制御部７５はＳＢ２に戻る。以降、操作部７１を介して告知放送を繰り返す旨の指示が入力されるか（ＳＢ４、Ｙｅｓ）、操作部７１を介して告知放送を開始する旨の指示が入力される（ＳＢ９、Ｙｅｓ）まで、制御部７５はＳＢ２からＳＢ４及びＳＢ９の処理を繰り返す。
【００５９】
一方、操作部７１を介して告知放送を開始する旨の指示が入力された場合（ＳＢ９、Ｙｅｓ）、信号生成部７５ａは放送開始データを生成し、当該生成した放送開始データを送信部７３から送信させる（ＳＢ１０）。
【００６０】
続いて信号生成部７５ａは、マイク７２により音声入力の受付を開始させ、マイク７２が入力を受け付けた音声をデータ記録部７６に記録すると共に、入力された音声に基づいて告知データを生成し、当該生成した告知データを送信部７３から送信させる（ＳＢ１１）。このとき制御部７５は、マイク７２を介して入力された音声を告知放送中であることを示す放送中画面を表示部１１に表示させる。図９は、表示部１１に表示された放送中画面を例示した図である。この図９に示すように、制御部７５は、マイク７２を介して入力された音声を告知放送中であることが表示されると共に（図９では「生放送中」）、告知放送を繰り返す旨の指示を入力するための「繰り返し」ボタン、及び告知放送を終了させる旨の指示を入力するための「放送終了」ボタンを表示部１１に表示させる。
【００６１】
図６に戻り、制御部７５は、操作部７１を介して告知放送を繰り返す旨の指示が入力されたか否かを判定する（ＳＢ１２）。例えば図９に示したように、ＳＢ１１において表示部１１に「繰り返し」ボタンを表示させておき、操作部７１を介してこの「繰り返し」ボタンが選択された場合に、告知放送を繰り返す旨の指示が入力されたと判定する。
【００６２】
図６に戻り、ＳＢ１２の判定の結果、操作部７１を介して告知放送を繰り返す旨の指示が入力された場合（ＳＢ１２、Ｙｅｓ）、図７に進み、信号生成部７５ａは、マイク７２による音声の入力の受け付けを終了させると共に、ストップコードを生成し、当該生成したストップコードを送信部７３から送信させる（ＳＢ１３）。
【００６３】
続いて信号生成部７５ａは、放送開始データを生成し、当該生成した放送開始データを送信部７３から送信させる（ＳＢ１４）。
【００６４】
続いて信号生成部７５ａは、ＳＢ１１でデータ記録部７６に記録された音声に基づいて告知データを生成し、当該生成した告知データを送信部７３から送信させる（ＳＢ１５）。
【００６５】
ＳＢ１５において告知データの送信を完了した後、信号生成部７５ａはストップコードを生成し、当該生成したストップコードを送信部７３から送信させる（ＳＢ１６）。
【００６６】
次に、制御部７５は、操作部７１を介して告知放送を終了させる旨の指示が入力されたか否かを判定する（ＳＢ１７）。例えば図９に示したように、ＳＢ１１において表示部１１に「放送終了」ボタンを表示させておき、操作部７１を介してこの「放送終了」ボタンが選択された場合に、告知放送を終了させる旨の指示が入力されたと判定する。
【００６７】
図７に戻り、操作部７１を介して告知放送を終了させる旨の指示が入力された場合（ＳＢ１７、Ｙｅｓ）、制御部７５は緊急放送処理を終了し、メインルーチンに戻る。
【００６８】
一方、操作部７１を介して告知放送を終了させる旨の指示が入力されていない場合（ＳＢ１７、Ｎｏ）、ＳＢ１４に戻り、信号生成部７５ａは放送開始データを生成し、当該生成した放送開始データを送信部７３から送信させる。以降、操作部７１を介して告知放送を終了させる旨の指示が入力されるまで、ＳＢ１４からＳＢ１７の処理を繰り返す。
【００６９】
なお、図６のＳＢ２において、データ記録部７６に記録されている１種類以上の告知放送用の情報が選択され、ＳＢ３でデータ記録部７６から読み出されている場合、信号生成部７５ａは、操作部７１を介して告知放送を終了させる旨の指示が入力されるまで繰り返し実行されるＳＢ１５の処理において、ＳＢ１１でデータ記録部７６に記録された音声、又はデータ記録部７６から読み出された告知放送用の情報の中から一種類の情報を選択し、当該選択した情報に基づいて告知データを生成し、送信部７３から送信させる。ここで、ＳＢ１５の処理が繰り返される毎に、ＳＢ１１でデータ記録部７６に記録された音声又はデータ記録部７６から読み出された告知放送用の情報の中から選択する情報を順次変更することにより、ＳＢ１１でデータ記録部７６に記録された音声、及びデータ記録部７６に記録されている告知放送用の情報の一部又は全部に基づいて複数種類の告知放送信号が生成され、当該生成された複数種類の告知放送信号が、所定の順序で連続して繰り返し送信されることとなる。
【００７０】
図６に戻り、ＳＢ１２において、操作部７１を介して告知放送を繰り返す旨の指示が入力されていない場合（ＳＢ１２、Ｎｏ）、制御部７５は、操作部７１を介して告知放送を終了させる旨の指示が入力されたか否かを判定する（ＳＢ１８）。例えば図９に示したように、ＳＢ１１において表示部１１に「放送終了」ボタンを表示させておき、操作部７１を介してこの「放送終了」ボタンが選択された場合に、告知放送を終了させる旨の指示が入力されたと判定する。
【００７１】
図６に戻り、ＳＢ１８の判定の結果、操作部７１を介して告知放送を終了させる旨の指示が入力されていない場合（ＳＢ１８、Ｎｏ）、信号生成部７５ａはＳＢ１１に戻る。以降、ＳＢ１２において操作部７１を介して告知放送を繰り返す旨の指示が入力されるか（ＳＢ１２、Ｙｅｓ）、ＳＢ１８において操作部７１を介して告知放送を終了させる旨の指示が入力される（ＳＢ１８、Ｙｅｓ）まで、ＳＢ１１、ＳＢ１２、及びＳＢ１８の処理を繰り返す。
【００７２】
一方、ＳＢ１８の判定の結果、操作部７１を介して告知放送を終了させる旨の指示が入力された場合（ＳＢ１８、Ｙｅｓ）、図７に進み、信号生成部７５ａは、マイク７２による音声の入力の受け付けを終了させると共に、ストップコードを生成し、当該生成したストップコードを送信部７３から送信させる（ＳＢ１９）。その後、制御部７５は緊急放送処理を終了し、メインルーチンに戻る。
【００７３】
（処理−告知放送処理−一般放送処理）
続いて、一般放送処理について説明する。図１０は一般放送処理のフローチャートである。図１０に示すように、一般放送処理が開始されると、制御部７５は、告知放送の宛て先とする範囲の入力を受け付けるための範囲選択画面を表示部１１に表示させる（ＳＣ１）。この範囲選択画面では、例えば、特定の受信機２０のアドレス、特定のグループ、あるいは、全ての受信機２０を告知放送の宛て先として選択可能となっている。
【００７４】
次に、信号生成部７５ａは、操作部７１を介して告知放送の宛て先とする範囲が入力されると共に、告知放送を開始する旨の指示が入力されるまで待機する（ＳＣ２、Ｎｏ）。例えば、ＳＣ１で表示部１１に表示させた範囲選択画面において、特定の受信機２０のアドレス、特定のグループ、あるいは全ての受信機２０が、操作部７１を介して告知放送の宛て先として選択された場合に、告知放送の宛て先とする範囲が入力されたと判定する。また、ＳＣ１において表示部１１に「放送開始」ボタンを表示させておき、操作部７１を介してこの「放送開始」ボタンが選択された場合に、告知放送を開始する旨の指示が入力されたと判定する。
【００７５】
操作部７１を介して告知放送の宛て先とする範囲が入力されると共に、告知放送を開始する旨の指示が入力された場合（ＳＣ２、Ｙｅｓ）、信号生成部７５ａは放送開始データを生成し、当該生成した放送開始データを送信部７３から送信させる（ＳＣ３）。例えば信号生成部７５ａは、データ記録部７６に記録されている情報に基づき、一般放送の宛て先として選択された受信機２０のアドレス又はグループ、告知放送の種別が一般放送であることを示す種別コード、及びスタートコードを含む放送開始データを生成し、送信部７３から送信させる。
【００７６】
図１０に戻り、ＳＣ３の処理の後、信号生成部７５ａは、マイク７２により音声入力の受付を開始させ、入力された音声に基づいて告知データを生成し、当該生成した告知データを送信部７３から送信させる（ＳＣ４）。
【００７７】
次に制御部７５は、操作部７１を介して告知放送を終了させる旨の指示が入力されたか否かを判定する（ＳＣ５）。例えば、ＳＣ３で信号生成部７５ａが放送開始データを送信部７３から送信させる際に、制御部７５が表示部１１に「放送終了」ボタンを表示させておき、操作部７１を介してこの「放送終了」ボタンが選択された場合に、告知放送を終了させる旨の指示が入力されたと判定する。
【００７８】
その結果、操作部７１を介して告知放送を終了させる旨の指示が入力されていない場合（ＳＣ５、Ｎｏ）、制御部７５はＳＣ４に戻る。以降、操作部７１を介して告知放送を終了させる旨の指示が入力されるまで、ＳＣ４及びＳＣ５の処理を繰り返す。
【００７９】
一方、操作部７１を介して告知放送を終了させる旨の指示が入力された場合（ＳＣ５、Ｙｅｓ）、信号生成部７５ａは、マイク７２による音声の入力の受け付けを終了させると共に、ストップコードを生成し、当該生成したストップコードを送信部７３から送信させる（ＳＣ６）。その後、制御部７５は一般放送処理を終了し、メインルーチンに戻る。
【００８０】
（処理−受信処理）
最後に、受信処理について説明する。図１１は、受信機２０が実行する受信処理のフローチャートである。この受信処理は、例えば受信機２０の電源が投入された場合に起動され、所定周期にて繰り返し実行される。
【００８１】
図１１に示すように、受信処理が起動されると、制御部２９は、受信部２１により放送開始データが受信されるまで待機する（ＳＤ１、Ｎｏ）。
【００８２】
そして、受信部２１により放送開始データが受信されると（ＳＤ１、Ｙｅｓ）、当該受信された放送開始データに含まれるアドレス又はグループに基づき、告知放送信号の宛て先に自己の受信機２０が含まれているか否かを判定する（ＳＤ２）。例えば、放送開始データに含まれるアドレス又はグループが、受信機２０のデータ記録部３０に予め記録されているアドレスやグループと一致した場合に、告知放送信号の宛て先に自己の受信機２０が含まれていると判定する。
【００８３】
その結果、告知放送信号の宛て先に自己の受信機２０が含まれていない場合（ＳＤ２、Ｎｏ）、制御部２９はＳＤ１に戻る。以降、受信部２１により放送開始データが受信され（ＳＤ１、Ｙｅｓ）、告知放送信号の宛て先に自己の受信機２０が含まれていると判定される（ＳＤ２、Ｙｅｓ）まで、ＳＤ１及びＳＤ２の処理を繰り返す。
【００８４】
一方、告知放送信号の宛て先に自己の受信機２０が含まれている場合（ＳＤ２、Ｙｅｓ）、制御部２９は受信部２１により受信された放送開始データに含まれる種別コードに基づき、告知放送の種別（例えば、緊急放送又は一般放送のいずれか）を判定する（ＳＤ３）。
【００８５】
その結果、告知放送の種別が緊急放送である場合（ＳＤ３、緊急）、制御部２９は緊急放送表示灯２８ｂを点灯させ（ＳＤ４）、音量調整部２４により音量を最大に設定させる（ＳＤ５）。
【００８６】
一方、告知放送の種別が一般放送である場合（ＳＤ３、一般）、制御部２９は一般放送表示灯２８ｃを点灯させる（ＳＤ６）。
【００８７】
ＳＤ５又はＳＤ６の処理の後、制御部２９は告知放送の音声出力を開始する（ＳＤ７）。すなわち制御部２９は、告知放送信号に含まれる告知データを受信部２１により音声情報に復調させ、当該音声情報を音声切換え部２２、音量調整部２４、及びアンプ２５を介してスピーカ２６から出力させる。
【００８８】
続いて制御部２９は、受信部２１によりストップコードが受信されるまで待機する（ＳＤ８、Ｎｏ）。受信部２１によりストップコードが受信された場合（ＳＤ８、Ｙｅｓ）、制御部２９は告知放送の音声出力を停止する（ＳＤ９）。この場合、制御部２９は、点灯させていた緊急放送表示灯２８ｂ又は一般放送表示灯２８ｃを消灯させ、音量調整部２４により音量を設定されていた音量に戻す。その後、制御部２９は受信処理を終了する。
【００８９】
上述の緊急放送処理において、送信装置７０から告知放送信号が連続して繰り返し送信されている場合、この受信処理によって受信機２０から緊急放送の音声出力が繰り返されることとなる。従って、利用者が受信機２０に対して特定の操作を行わなくとも、緊急放送を繰り返し音声出力させることができ、利用者が緊急放送を聞き逃すことを防止できる。
【００９０】
なお、ＳＤ８において受信部２１によりストップコードが受信されていなくとも、何らかの原因によりストップコードの受信ができなかった可能性を考慮し、放送開始から一定時間経過してもストップコードが受信されなかった場合に当該放送の受信を停止する仕様の受信機２０が存在する。このような受信機２０に対して、送信装置７０から告知データの送信のみを繰り返した場合、放送開始から一定時間経過後に受信機２０における受信が停止されてしまうため、利用者が緊急放送を聞き逃す可能性が生じる。しかし本実施の形態の送信装置７０は、上述の緊急放送処理において、告知データにスタートコード及びストップコードを付加した告知放送信号の送信を繰り返すので、送信が繰り返される毎に各告知放送信号が確実に受信機２０により受信され、当該受信機２０から緊急放送の音声出力が確実に繰り返されることとなる。なお、放送開始後にストップコードが受信されない場合において当該放送の受信を停止するまでの一定時間を、データ記録部７６に記録されている告知データを１回放送するために要する時間よりも長く設定することで、緊急放送の音声出力が中断されることを防止できる。
【００９１】
（効果）
このように実施の形態によれば、告知放送用の情報を記録するデータ記録部７６と、データ記録部７６に記録されている告知放送用の情報に基づいて告知放送信号を生成する信号生成部７５ａと、信号生成部７５ａにより生成された告知放送信号を、連続して繰り返し送信する送信部７３とを備えるので、センター装置の操作者自身が緊急放送を繰り返し実施しなくとも緊急放送を連続して繰り返すことができ、受信機２０から緊急放送を繰り返し音声出力させることができる。これにより、センター装置の操作者の安全を確保しつつ、受信機２０の利用者が緊急放送を聞き逃すことを防止できる。
【００９２】
また、データ記録部７６は、マイク７２が入力を受け付けた音声を記録し、マイク７２が音声の入力を受け付けている間、信号生成部７５ａは、当該入力された音声に基づいて告知放送信号を生成し、送信部７３は、信号生成部７５ａにより生成された告知放送信号を送信し、マイク７２が音声の入力の受付を終了した後、信号生成部７５ａは、データ記録部７６に記録された音声に基づいて告知放送信号を生成し、送信部７３は、信号生成部７５ａにより生成された告知放送信号を連続して繰り返し送信するので、センター装置の操作者は緊急放送の内容をマイク７２に１回入力すればよく、操作者自身が緊急放送を繰り返し実施しなくとも緊急放送を連続して繰り返すことができ、受信機２０から緊急放送を繰り返し音声出力させることができる。
【００９３】
また、データ記録部７６は、複数種類の告知放送用の情報を記録し、信号生成部７５ａは、データ記録部７６に記録されている複数種類の告知放送用の情報の一部又は全部に基づいて複数種類の告知放送信号を生成し、送信部７３は、信号生成部７５ａにより生成された複数種類の告知放送信号を、所定の順序で連続して繰り返し送信するので、センター装置の操作者自身が緊急放送の内容を入力しなくとも緊急放送を連続して繰り返すことができ、センター装置の操作者の安全を確保することができる。
【００９４】
また、信号生成部７５ａは、データ記録部７６に記録されている告知放送用の情報に、当該情報の先頭又は末尾の少なくとも一方を示す区切り情報（すなわちスタートコード及びストップコード）を付加して、告知放送信号を生成するので、１つの放送が開始されてから一定時間経過した場合に当該放送の受信を停止する仕様の受信機２０についても、各告知放送信号を確実に受信機２０に受信させ、当該受信機２０から確実に緊急放送を繰り返し音声出力させることができる。これにより、センター装置の操作者の安全を確保しつつ、受信機２０の利用者が緊急放送を聞き逃すことを防止できる。
【００９５】
〔実施の形態に対する変形例〕
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【００９６】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００９７】
（告知放送処理について）
上述の実施の形態では、図６及び７の告知放送処理において、信号生成部７５ａが、データ記録手段に記録されている告知放送用の情報に、区切り情報としてスタートコード及びストップコードの両方を付加する場合を例として説明したが、これらのスタートコード又はストップコードの一方を省略してもよい。なお、ストップコードの付加を省略した場合、図１１の受信処理におけるＳＤ８の処理を省略し、ＳＤ７において告知放送の音声出力を開始してから一定時間が経過した場合、又は新たな放送開始データを受信した場合に、それまでの告知放送の音声出力を停止する（ＳＤ９）。
【００９８】
また、上述の実施の形態では、告知放送処理において、データ記録部７６に記録されている複数種類の告知放送用の情報の一部又は全部に基づいて複数種類の告知放送信号が生成され、当該生成された複数種類の告知放送信号が、所定の順序で連続して繰り返し送信されると説明したが、複数種類の告知放送信号の送信順序を利用者が指定できるようにしてもよい。例えば、ＳＢ２においてデータ記録部７６に記録されている告知放送用の情報が操作部７１を介して選択された順序で、各告知放送用の情報に基づいて生成された告知放送信号を繰り返し送信するようにしてもよい。あるいは、告知放送信号の送信順序を特定するための順序情報を各告知放送用の情報に対応付けてデータ記録部７６に記録しておき、当該順序情報に基づき、各告知放送用の情報に基づいて生成された告知放送信号の送信順序を決定するようにしてもよい。
【００９９】
また、上述の実施の形態では、告知放送の種別が緊急放送の場合には全ての受信機２０を宛て先とする場合を例として説明したが、告知放送信号を連続して繰り返し送信した回数に応じて、宛て先とする受信機２０やグループを変化させるようにしてもよい。例えば、告知放送信号の送信回数が１回目の場合には全ての受信機２０を宛て先とし、２回目以降は、予め設定されている特定のグループに属する受信機２０のみを宛て先とするようにしてもよい。
【０１００】
（受信処理について）
上述の実施の形態では、図１１の受信処理において、告知放送が種別が緊急放送の場合には音量調整部２４により音量を最大に設定させると説明したが、告知放送信号が連続して繰り返し送信された回数に応じて、音量を変化させるようにしてもよい。例えば、信号生成部７５ａは、送信部７３から告知放送信号を連続して繰り返し送信させる際、告知放送信号の送信回数を特定する送信回数情報を放送開始データに含めておく。受信機２０の制御部２９は、受信部２１が受信した放送開始データに含まれる送信回数情報に基づき、受信部２１が受信した告知放送信号の送信回数を特定し、告知放送が種別が緊急放送の場合であって当該告知放送信号の送信回数が１回目の場合には、音量調整部２４により音量を最大に設定させる。また、緊急放送の告知放送信号の送信回数が２回目以降の場合には、音量調整部２４により音量を下げさせる（例えば音量を中程度に設定させる）。これにより、受信機２０の利用者が緊急放送を聞き逃すことを防止しつつ、最大音量で告知放送が繰り返されることによる煩わしさを防止することができる。
【０１０１】
また、信号生成部７５ａが、送信部７３から告知放送信号を連続して繰り返し送信させる際、音声出力時の音量を特定する音量情報を放送開始データに含めるようにしてもよい。この場合、受信機の制御部２９は、受信部２１が受信した放送開始データに含まれる音量情報に基づき音量を特定し、音量調整部２４によって当該特定した音量に設定させる。例えば、告知放送が種別が緊急放送の場合であって当該告知放送信号の送信回数が１回目の場合には、信号生成部７５ａは、音量最大に対応する音量情報を放送開始データに含める。また、緊急放送の告知放送信号の送信回数が２回目以降の場合には、通常の音量（例えば中程度の音量）に対応する音量情報を放送開始データに含める。あるいは、告知放送信号の送信が繰り返される毎に、音量最大に対応する音量情報と通常の音量（例えば中程度の音量）に対応する音量情報とを、交互に放送開始データに含めるようにしてもよい。
（付記）
付記１の送信装置は、受信機に告知放送信号を送信する送信装置であって、前記告知放送用の情報を記録する記録手段と、前記記録手段に記録されている告知放送用の情報に基づいて告知放送信号を生成する信号生成手段と、前記信号生成手段により生成された告知放送信号を、連続して繰り返し送信する送信手段と、を備える。
また、付記２の送信装置は、付記１に記載の送信装置において、音声の入力を受け付ける音声入力手段を備え、前記記録手段は、前記音声入力手段が入力を受け付けた音声を記録し、前記音声入力手段が音声の入力を受け付けている間、前記信号生成手段は、当該入力された音声に基づいて告知放送信号を生成し、前記送信手段は、当該信号生成手段により生成された告知放送信号を送信し、前記音声入力手段が音声の入力の受付を終了した後、前記信号生成手段は、前記記録手段に記録された音声に基づいて告知放送信号を生成し、前記送信手段は、当該信号生成手段により生成された告知放送信号を連続して繰り返し送信する。
また、付記３の送信装置は、付記１又は２に記載の送信装置において、前記記録手段は、複数種類の前記告知放送用の情報を記録し、前記信号生成手段は、前記記録手段に記録されている前記複数種類の告知放送用の情報の一部又は全部に基づいて複数種類の告知放送信号を生成し、前記送信手段は、前記信号生成手段により生成された複数種類の告知放送信号を、所定の順序で連続して繰り返し送信する。
また、付記４の送信装置は、付記１から３のいずれか一項に記載の送信装置において、前記信号生成手段は、前記記録手段に記録されている告知放送用の情報に、当該情報の先頭又は末尾の少なくとも一方を示す区切り情報を付加して、告知放送信号を生成する。
また、付記５の告知放送システムは、付記１から４のいずれか一項に記載の送信装置と、前記送信装置から送信された告知放送信号を受信する受信機と、を備える。
また、付記６の告知放送システムは、付記５に記載の告知放送システムにおいて、前記受信機は、前記告知放送信号を受信する受信手段と、前記受信手段が受信した告知放送信号による告知放送を音声出力する出力手段と、前記連続して繰り返し送信された告知放送信号による告知放送を前記出力手段が連続して繰り返し音声出力する間に、当該出力手段による音声出力の音量を、音声出力の繰り返し回数に応じて変化させる音量制御手段と、を備える。
また、付記７の告知放送システムは、付記６に記載の告知放送システムにおいて、前記音量制御手段は、前記告知放送信号が連続して繰り返し送信された回数に応じて、前記出力手段による音声出力の音量を変化させる。
また、付記８の告知放送システムは、付記７に記載の告知放送システムにおいて、前記信号生成手段は、前記送信手段から前記告知放送信号を連続して繰り返し送信させる際、前記記録手段に記録されている告知放送用の情報に、当該告知放送信号の送信回数を特定する送信回数情報を付加して告知放送信号を生成し、前記音量制御手段は、前記受信手段が受信した告知放送信号に含まれる前記送信回数情報に基づき、当該受信手段が受信した告知放送信号の送信回数を特定し、当該特定した送信回数に応じて、前記出力手段による音声出力の音量を変化させる。
また、付記９の告知放送システムは、付記６に記載の告知放送システムにおいて、前記信号生成手段は、前記送信手段から前記告知放送信号を連続して繰り返し送信させる際、前記記録手段に記録されている告知放送用の情報に、音量を特定する音量情報を付加して告知放送信号を生成し、前記音量制御手段は、前記受信手段が受信した告知放送信号に含まれる前記音量情報に基づき、前記出力手段による音声出力の音量を変化させる。
（付記の効果）
このように、付記１に記載の送信装置、及び付記５に記載の告知放送システムによれば、告知放送用の情報を記録する記録手段と、記録手段に記録されている告知放送用の情報に基づいて告知放送信号を生成する信号生成手段と、信号生成手段により生成された告知放送信号を、連続して繰り返し送信する送信手段とを備えるので、センター装置の操作者自身が緊急放送を繰り返し実施しなくとも緊急放送を連続して繰り返すことができ、受信機から緊急放送を繰り返し音声出力させることができる。これにより、センター装置の操作者の安全を確保しつつ、受信機の利用者が緊急放送を聞き逃すことを防止できる。
また、付記２に記載の送信装置によれば、記録手段は、音声入力手段が入力を受け付けた音声を記録し、音声入力手段が音声の入力を受け付けている間、信号生成手段は、当該入力された音声に基づいて告知放送信号を生成し、送信手段は、信号生成手段により生成された告知放送信号を送信し、音声入力手段が音声の入力の受付を終了した後、信号生成手段は、記録手段に記録された音声に基づいて告知放送信号を生成し、送信手段は、信号生成手段により生成された告知放送信号を連続して繰り返し送信するので、センター装置の操作者は緊急放送の内容を音声入力手段に１回入力すればよく、操作者自身が緊急放送を繰り返し実施しなくとも緊急放送を連続して繰り返すことができ、受信機から緊急放送を繰り返し音声出力させることができる。
また、付記３に記載の送信装置によれば、記録手段は、複数種類の告知放送用の情報を記録し、信号生成手段は、記録手段に記録されている複数種類の告知放送用の情報の一部又は全部に基づいて複数種類の告知放送信号を生成し、送信手段は、信号生成手段により生成された複数種類の告知放送信号を、所定の順序で連続して繰り返し送信するので、センター装置の操作者自身が緊急放送の内容を入力しなくとも緊急放送を連続して繰り返すことができ、センター装置の操作者の安全を確保することができる。
また、付記４に記載の送信装置によれば、信号生成手段は、記録手段に記録されている告知放送用の情報に、当該情報の先頭又は末尾の少なくとも一方を示す区切り情報を付加して、告知放送信号を生成するので、１つの放送が開始されてから一定時間経過した場合に当該放送の受信を停止する仕様の受信機についても、各告知放送信号を確実に受信機に受信させ、当該受信機から確実に緊急放送を繰り返し音声出力させることができる。これにより、センター装置の操作者の安全を確保しつつ、受信機の利用者が緊急放送を聞き逃すことを防止できる。
また、付記６に記載の告知放送システムによれば、音量制御手段は、連続して繰り返し送信された告知放送信号による告知放送を出力手段が連続して繰り返し音声出力する間に、当該出力手段による音声出力の音量を、音声出力の繰り返し回数に応じて変化させるので、繰り返し音声出力される告知放送の音量を、適切な音量に調整することができる。
また、付記７に記載の告知放送システムによれば、音量制御手段は、告知放送信号が連続して繰り返し送信された回数に応じて、出力手段による音声出力の音量を変化させるので、告知放送の音量を、繰り返し回数に応じた適切な音量に調整することができる。
また、付記８に記載の告知放送システムによれば、音量制御手段は、受信手段が受信した告知放送信号に含まれる送信回数情報に基づき、当該受信手段が受信した告知放送信号の送信回数を特定し、当該特定した送信回数に応じて、出力手段による音声出力の音量を変化させるので、告知放送の音量を、繰り返し回数に応じた適切な音量に確実に調整することができる。
また、付記９に記載の告知放送システムによれば、音量制御手段は、受信手段が受信した告知放送信号に含まれる音量情報に基づき、出力手段による音声出力の音量を変化させるので、繰り返し音声出力される告知放送の音量を、適切な音量に調整することができる。
【符号の説明】
【０１０２】
１  告知放送システム
１０  センターシステム
１１、２８  表示部
１２  ＢＧＭ源
２０  受信機
２１  受信部
２２  音声切換え部
２３  音声記録部
２４  音量調整部
２５、４３  アンプ
２６  スピーカ
２７、７１  操作部
２７ａ  ＦＭ放送選択スイッチ
２７ｂ  告知再生スイッチ
２７ｃ  ボリュームスイッチ
２８ａ  電源表示灯
２８ｂ  緊急放送表示灯
２８ｃ  一般放送表示灯
２８ｄ  状態表示部
２９、７５  制御部
３０、７６  データ記録部
４０  伝送系統
４１  ヘッドエンド
４２  伝送線路
４４  分配増幅器
４６  分配器
４８  保安器
７０  送信装置
７２  マイク
７３  送信部
７５ａ  信号生成部
【図１】
0005947495.tif 000002
【図２】
0005947495.tif 000003
【図３】
0005947495.tif 000004
【図４】
0005947495.tif 000005
【図５】
0005947495.tif 000006
【図６】
0005947495.tif 000007
【図７】
0005947495.tif 000008
【図８】
0005947495.tif 000009
【図９】
0005947495.tif 000010
【図１０】
0005947495.tif 000011
【図１１】
0005947495.tif 000012